(57)【要約】      （修正有）【課題】硬貨等の貨幣と異物との混在を防止可能とし、硬貨等の貨幣のみを取り出すことができるカルトンを提供する。【解決手段】カルトン１０は、個人顧客相手の店舗や金融機関等で提供された物に対する顧客の代金の支払い時に使用されるものであり、支払い場所に載置されると共に箱状体で構成された本体部材１１と、この本体部材１１に設けられると共に代金としての貨幣を載置する貨幣載置部材１２と、を備えて構成し、この貨幣載置部材１２を、貨幣と共に紛れ込み硬貨の大きさより小さな異物５１のみが通過する大きさの網目１２Ｄを有する網状体で形成されている。本体部材１１には、その底面部１１Ｃから深さ方向の途中位置にまで立設した水平保持部１１Ｄが設けられ、この水平保持部１１Ｄの上端面に貨幣載置部材１２が着脱可能に設けられている。【選択図】図２
2013175119.tif 000002
【特許請求の範囲】
【請求項１】
個人顧客相手の店舗や金融機関等で提供された物に対する顧客の代金の支払い時に使用されるカルトンにおいて、
前記支払い場所に載置されると共に箱状体で構成された本体部材と、
この本体部材に設けられると共に前記代金としての貨幣を載置する貨幣載置部材と、を備えて構成し、
この貨幣載置部材を、前記貨幣と共に紛れ込み前記硬貨の大きさより小さな異物のみが通過する大きさの網目を有する網状体で形成したことを特徴とするカルトン。
【請求項２】
請求項１に記載したカルトンにおいて、
前記本体部材の前記箱状の形状を、底面部と当該底面からそれぞれ上方側に向かって広がる傾斜面状の４枚の側面部とで形成された形状とし、
前記貨幣載置部材を前記本体部材の深さ方向の途中位置に配置したことを特徴とするカルトン。
【請求項３】
請求項１または請求項２に記載したカルトンにおいて、
前記貨幣載置部材の前記網状体の網穴の大きさを、
前記貨幣のうち複数種の硬貨で最小外径の硬貨の外径寸法より小さな寸法に形成したことを特徴とするカルトン。
【請求項４】
請求項１ないし請求項３のいずれか１に記載したカルトンにおいて、
前記網状体の網穴を正方形形状の角穴で構成し、この角穴の対角線間の寸法を前記最小外径の硬貨の外径寸法より小さな寸法に形成したことを特徴とするカルトン。
【請求項５】
請求項１ないし請求項４のいずれか１に記載したカルトンにおいて、
前記貨幣載置部材を前記本体部材に対して着脱可能としたことを特徴とするカルトン。
【請求項６】
請求項５に記載したカルトンにおいて、
前記本体部材の内周部に、前記貨幣載置部材を水平に保持する複数個の水平保持部を設けたことを特徴とするカルトン。
【請求項７】
請求項１に記載したカルトンにおいて、
前記本体部材の箱状の形状を直方体形状とし、
前記貨幣載置部材の形状を、底面部と当該底面からそれぞれ上方側に向かって広がる傾斜面状の４枚の側面部とで形成すると共に前記本体部材の上方開口部に係合する係合部を設けた形状とし、前記底面に前記網状体の網穴を形成した形状としたことを特徴とするカルトン。
【請求項８】
請求項７に記載したカルトンにおいて、
前記底面に形成された前記網状体の網穴の大きさを、
前記貨幣のうち複数種の硬貨で最小外径の硬貨の外径寸法より小さな寸法に形成したことを特徴とするカルトン。
【請求項９】
請求項１ないし請求項８のいずれか一つに記載したカルトンにおいて、
前記貨幣載置部材の少なくとも上面に軟性樹脂をコーティングしたことを特徴とするカルトン。
【発明の詳細な説明】
【技術分野】
【０００１】
本発明はカルトンに係り、さらに詳しくは、特にスーパーストア（以下スーパーという）やコンビニエンスストア（以下、コンビニという）での購入代金精算時の貨幣の受渡しを行う際、あるいは銀行等の金融機関での貨幣の受渡しを行う際に使用するカルトンに関する。
【背景技術】
【０００２】
例えばスーパー等で、商品の購入者は、その代金を支払うためレジに行き、レジ係員の請求に応じて、レジの所定の場所に置かれたキャッシュトレーとも呼ばれるカルトンに所定の貨幣を置いて支払いを済ませている。
【０００３】
従来、以上のようなカルトン等、金銭の授受に際して用いられる多数の装置等が開発されている。
例えば、商店の店頭の机上や、銀行やホテルのカウンターで紙幣、貨幣、クレジットカードなどを顧客と店員間でやり取りする際に、卓上に直接置かれるコインマットやカルトンが知られている（例えば、特許文献１参照）。
この特許文献１に開示されたコインマットは、当該コインマットの上に載せられた硬貨やカードを掴み取る際に、指先がコインマットの表面と接触したときに、柔らかさ、暖かい感触を与えるようにするもので、合成樹脂シートの表面に、合成樹脂マルチフィラメント糸をタフティングしたパイル布帛を貼り合わせた構成となっている。
【０００４】
また、硬貨をカルトンから容易に取れるようにした傾斜機構つきカルトンが知られている（例えば、特許文献２参照）。
この特許文献２に開示された傾斜機構つきカルトンでは、皿に傾斜を付けると共に硬貨溜りを設けた構成となっている。
【０００５】
さらに、コインを清浄するコイン清浄装置内に、コインと清浄用のペレットのうち、ペレットのみが落下するように、コインの直径よりも小さい網目に形成された網状体を備えたコイン清浄装置が知られている（例えば、特許文献３参照）。
この特許文献３に開示されたコイン清浄装置では、カバー体のコイン受けホッパー内に網状体が傾斜して配置されている。そして、その網状体上にコインと清浄用のペレットが送り込まれ、共に移動するうち網状体の網目から清浄用のペレットのみが落下する構成となっている。
【０００６】
また、紙幣や硬貨とともに誤って投入された異物を顧客が取り忘れて帰ったとき、後日、この異物を本来の持ち主に正確に返却できる機能を有する自動取引装置も知られている（例えば、特許文献４参照）。
この特許文献４に開示された自動取引装置では、紙幣を複数枚まとめて投入できる大きさの紙幣入出金口が箱型の凹部で形成され、この凹部の底部が荒い網目構造となっており、硬貨や外国のコイン等の異物がその網目から落下する構成となっている。
【先行技術文献】
【特許文献】
【０００７】
【特許文献１】特開平１０−１１９１５７号公報
【特許文献２】実開平７−６８６８号公報
【特許文献３】実開昭６３−１０３６７６号公報
【特許文献４】特開平１１−２７２９１２号公報
【発明の概要】
【発明が解決しようとする課題】
【０００８】
しかし、上述した従来技術では幾つかの問題点がある。
すなわち、特許文献１に開示したコインマットにおいては、スーパーなどのレジにて貨幣の受け渡しを行う際、商品購入者が財布もしくはポケットから、硬貨や紙幣等の貨幣を取り出す際、気づかずに一緒に入っている異物も取り出してコインマットに置く場合があり、この場合、レジ係員も気づかずに、コインマットに置かれた貨幣を掴もうとして一緒に異物を掴むことがある。
ここで、スーパー等では自動釣銭機を利用することが多いが、商品代金として受け取った貨幣だけを自動釣銭機に投入した場合、その自動釣銭機に何の不具合いも生じないが、硬貨等の貨幣と共に異物を受け取って自動釣銭機に投入した場合、その異物が自動釣銭機の内部の、例えば電子部品等の各種部品に接触、当接する等して、機器の不具合を発生させる可能性がある。
【０００９】
また、前記特許文献２に開示された傾斜機構つきカルトンでは、皿が傾斜状に形成され、硬貨溜まりが設けられているが、異物も硬貨等の貨幣と一緒に皿上に置かれたとき、傾斜状の皿の上面から異物と硬貨等が混ざった状態で硬貨溜まりに集まり、その硬貨溜まりからレジ係が取り出すため、異物と硬貨等が混在した状態で受け取り、それを、例えば、自動釣銭機に投入することになり、その結果、前述の特許文献１で述べた問題点、すなわち、機器の不具合を発生させる可能性がある。
【００１０】
さらに、前記特許文献３に開示されたコイン洗浄装置では、コインとコイン磨きペレットを、網状体に載せて移動させ、その途中でコイン磨きペレットだけが網状体の網目を通過して落下するように構成されている。この網状体では、コイン径よりも小さな網目が設けられており、コインと異物（ここではコイン磨きペレット）とを区分けできるが、この網状体は、洗浄装置のカバー体の内部に配置された構造であり、例えば顧客が商品購入の代金として支払う硬貨等の貨幣の授受に用いられるものではない。
【００１１】
また、前記特許文献４に開示された自動取引装置は、紙幣入出金口が荒い網目を用いた構成となっているが、この荒い網目では、紙幣は紙幣入出金口を通過するが、硬貨は網目から落下し、これにより、紙幣と硬貨とが区分けされるようになっている。しかし、この特許文献４の自動取引装置も、例えば顧客が商品購入の代金として支払う硬貨等の貨幣の授受に用いられるものではない。
【００１２】
前記特許文献１，２に開示されているように、金銭の授受に際して用いるカルトン等では、前述のように、硬貨等の貨幣を支払うために、顧客が財布等から上記硬貨等を取り出すとき、気づかずに、硬貨等と一緒に異物を取り出してカルトンやコインマット上に載せることがある。そして、レジ係員も気づかずに、カルトン等に置かれた硬貨等を掴もうとして一緒に異物を掴み、それを、例えば、自動釣銭機に投入した結果、その自動釣銭機に不具合が生じる可能性がある。そのため、硬貨等の貨幣と異物との混在を防止可能とするカルトンの開発が望まれている。
【００１３】
本発明の目的は、上述した課題を解決するために、硬貨等の貨幣と異物との混在を防止可能とし、硬貨等の貨幣のみを取り出すことができるカルトンを提供することである。
【課題を解決するための手段】
【００１４】
前記目的を達成するために、本願発明のカルトンは、個人顧客相手の店舗や金融機関等で提供された物に対する顧客の代金の支払い時に使用されるカルトンにおいて、
前記支払い場所に載置されると共に箱状体で構成された本体部材と、
この本体部材に設けられると共に前記代金としての硬貨等の貨幣を載置する貨幣載置部材と、を備えて構成し、
この貨幣載置部材を、前記貨幣と共に紛れ込み前記硬貨の大きさより小さな異物のみが通過する大きさの網目を有する網状体で形成したことを特徴とする。
【発明の効果】
【００１５】
本願発明のカルトンによれば、顧客が支払のために硬貨等の貨幣を財布等から取り出す際、気づかずに異物も取り出し、貨幣と異物を一緒にカルトンに載せた場合でも、本体部材に設けられる貨幣載置部材が網状体で形成されており、この網状体の網目の大きさが、貨幣と共に紛れ込み硬貨の大きさより小さな異物のみが通過する大きさに形成されているので、異物は貨幣載置部材から落下し、硬貨等の貨幣のみが貨幣載置部材に残る。
硬貨より大きな異物は、顧客またはレジ係員が見て分かるため、あるいはレジ係員が手触りでわかるため、その時点で取り除けばよい。その結果、硬貨等の貨幣のみを取り出して自動釣銭機に貨幣を投入できるので、自動釣銭機が不具合を起こす機会を減らすことができる。
【図面の簡単な説明】
【００１６】
【図１】本発明に係るカルトンの第１実施形態を示す全体斜視図である。
【図２】図１におけるII−II線に沿った縦断面図である。
【図３】図１におけるIII−III線に沿った縦断面図である。
【図４】前記実施形態の貨幣載置部材の詳細を示す部分拡大図である。
【図５】本発明に係るカルトンの第２実施形態を示す全体斜視図である。
【図６】図５におけるVI−VI線に沿った縦断面図である。
【図７】本発明に係る変形形態の貨幣載置部材の詳細を示す部分拡大図である。
【発明を実施するための最良の形態】
【００１７】
（構成の説明） 
以下に、図１〜図４を参照して、本発明に係るカルトン１０の第１実施形態を詳細に説明する。
【００１８】
図１は、第１実施形態のカルトン１０を構成する本体部材１１および貨幣載置部材１２を示す分解斜視図であり、図２は本体部材１１に貨幣載置部材１２が取り付けられたときの図１におけるII−II線に沿った縦断面図であり、図３は図１におけるIII−III線に沿った縦断面図であり、図４は貨幣載置部材１２の詳細を示す部分拡大図である。
【００１９】
カルトン１０は、キャッシュトレーとも呼ばれており、例えばスーパーコンビニ等の個人顧客相手の店舗や、金融機関等で提供された物に対する顧客の代金の支払い時に使用されるものである。
【００２０】
図１，２に示すように、カルトン１０は、支払い場所に載置されると共に箱状体で構成された本体部材１１と、この本体部材１１に設けられると共に代金としての貨幣としての、例えば硬貨５０を載置する貨幣載置部材１２と、を備えて構成されている。
そして、この貨幣載置部材１２は、貨幣と共に紛れ込んだ硬貨の大きさより小さな異物５１のみが通過する大きさの網目を有する網状体で形成されている。
【００２１】
本体部材１１は、前述のように箱状体に形成されており、その形状は、底面部１１Ｃと当該底面部１１Ｃからそれぞれ上方側に向かって広がる傾斜面状の２枚の側面部１１Ａ，１１Ａと、２枚の側面部１１Ｂ，１１Ｂとで形成された長方形のトレー形状となっている。
このような本体部材１１は、例えば合成樹脂製となっている。ただし、合成樹脂製に限らず、合成皮革、金属、天然皮革、あるいは木製等でもよい。
【００２２】
前記貨幣載置部材１２は網状体で形成されており、この網状体の多数の網穴１２Ｄは、それぞれが、図４に示すように正方形の角穴となっている。そして、角穴で形成された網穴１２Ｄの対角線間の寸法Ｍは、前記貨幣のうち複数種の硬貨５０で最小外径の硬貨の外径寸法φより小さな寸法に形成されている。
そのため、網穴１２Ｄから複数種の硬貨５０より小さな外径の異物は通過、落下する。これに対して、網穴１２Ｄを、紙幣は勿論、複数種の各硬貨５０が通過することはないので、貨幣載置部材１２から落下することはない。
ここで、網穴１２Ｄより大きな異物は、顧客またはレジ係員が見て分かるため、あるいはレジ係員が手触りでわかるため、その時点で取り除けばよい。
【００２３】
多数の網穴１２Ｄの隣同士の間隔は寸法ｍの連結部１２Ｂとなっており、この連結部１２Ｂの寸法ｍは、小さな異物が溜まらないように、可能な限り小さな寸法に設定することが好ましい。
【００２４】
ここで、複数種の硬貨５０、つまり、現在流通している硬貨５０で５００円硬貨の外形寸法は２６．５ｍｍ、１００円硬貨の外形寸法は２２．６ｍｍ、５０円硬貨の外形寸法は２１．０ｍｍ、１０円硬貨の外形寸法は２３．５ｍｍ、５円硬貨の外形寸法は２２．０ｍｍ、１円硬貨の外形寸法は２０．０ｍｍである。
そのため、前記網穴１２Ｄの対角線間の寸法Ｍは、最小外径の硬貨、つまり１円硬貨の外形寸法φ２０．０ｍｍより小さな寸法に設定されていることが必要である。実施形態では、網穴１２Ｄの対角線間の寸法Ｍが例えば１５ｍｍに設定されているが、この寸法に限定されないのは勿論である。
【００２５】
以上のような貨幣載置部材１２は、本体部材１１に対して着脱可能となっている。
すなわち、貨幣載置部材１２は、本体部材１１の深さ方向の途中位置に着脱自在に配置されるようになっている。そして、貨幣載置部材１２を本体部材１１の深さ方向の途中位置に水平に保持するために、本体部材１１に複数個所（実施形態では４個所）の水平保持部１１Ｄが設けられている。
【００２６】
水平保持部１１Ｄは、図１に示すように、２枚の側面部１１Ｂ，１１Ｂにおいてそれぞれの長手方向両側に設けられている。これらの水平保持部１１Ｄは、図２，３に示すように、本体部材１１の底面部１１Ｃから２枚の側面部１１Ｂ，１１Ｂの傾斜面の途中位置まで略垂直に立ち上がって形成され、それぞれの上端面が平坦面となっている。
そして、この水平保持部１１Ｄの上端面に貨幣載置部材１２が載置され、着脱自在に取り付けられるようになっている。そのため、貨幣載置部材１２は水平に保持される。
【００２７】
次に、図２を参照して前記実施形態のカルトン１０の作用を説明する。
カルトン１０は、例えば、スーパーのレジ部に置かれている。商品を購入した顧客は、その代金を支払うべくレジ部に行き、レジ係の店員の請求に応じて複数種の硬貨５０を含む所定の貨幣をカルトン１０の貨幣載置部材１２に載せる。
【００２８】
この際、顧客が、財布から硬貨５０等を取り出すとき、気づかずにその硬貨５０等と一緒に異物５１を取り出して貨幣載置部材１２に載せることがある。
この場合でも、異物５１が硬貨５０等より小さなものであれば、その異物５１は、貨幣載置部材１２の網穴１２Ｄを通過して本体部材１１の底面部１１Ｃに落下する。
異物５１が硬貨５０等より大きなものであれば、顧客自身あるいはレジ係が気がついた時点で取り除けばよく、また双方が気づかずにレジ係が貨幣等と一緒にその異物を掴んだとき、手触りで分かったとき、レジ係が貨幣載置部材１２から取り除いて顧客に返した後、レジ係は硬貨５０等の貨幣を自動釣銭機に投入すればよい。
また、本体部材１１の底面部１１Ｃに落下した異物５１は、支払いが終了した後、貨幣載置部材１２を本体部材１１から取り外して確認し、必要な物であれば顧客に返す等の処置をとればよい。
【００２９】
以上のような構成のカルトン１０によれば、次のような効果が得られる。
（１）顧客が支払のために硬貨５０等の貨幣を財布等から取り出す際、気づかずに異物５１も取り出し、貨幣と異物５１を一緒にカルトン１０に載せた場合でも、本体部材１１に設けられる貨幣載置部材１２が網状体で形成されており、この網状体の網目１２Ｄの大きさが、貨幣と共に紛れ込んだ異物５１のみが通過する大きさに形成されているので、異物５１は貨幣載置部材１２から落下し、硬貨５０等の貨幣のみが貨幣載置部材１１に残る。
硬貨５０より大きな異物は、顧客またはレジ係員が見て分かるため、あるいはレジ係員が手触りでわかるため、その時点で取り除けばよい。その結果、硬貨５０等の貨幣のみを取り出して自動釣銭機に貨幣を投入できるので、自動釣銭機が不具合を起こす機会を減らすことができる。
その結果、例えば、レジ係員が硬貨５０等の貨幣のみを取り出して自動釣銭機にその貨幣を投入でき、自動釣銭機が不具合を起こす機会を減らすことができる。
【００３０】
（２）貨幣載置部材１２が本体部材１１に対して着脱可能となっているので、顧客が気づかずに硬貨５０等の貨幣と一緒に異物５１を貨幣載置部材１２の上に載せた場合でも、貨幣載置部材１２を本体部材１１から取り外して、網穴１２Ｄから本体部材１１に落下した異物５１をチェックすることができる。その結果、落下した異物が顧客にとって必要な物であった場合でも、返却することができる。
【００３１】
（３）貨幣載置部材１２の網穴１２Ｄが正方形の角穴形状に形成され、その角穴の大きさは、対角線間の寸法Ｍが、硬貨のうち最も外形寸法の小さな１円硬貨の外形寸法φ２０．０ｍｍより小さな寸法の例えば１５ｍｍに設定されているので、複数種の硬貨のすべてを貨幣載置部材１２の上に確保することができる。
【００３２】
（４）本体部材１１の２枚の側面部１１Ｂ，１１Ｂの長手方向両側には、貨幣載置部材１２を保持する水平保持部１１Ｄが設けられ、各水平保持部１１Ｄは、本体部材１１の底面部１１Ｃから２枚の側面部１１Ｂ，１１Ｂの傾斜面の途中位置まで略垂直に立ち上がって形成されており、それぞれの上端面が平坦面となっている。そのため、貨幣載置部材１２を水平に保持することができる。
【００３３】
（５）貨幣載置部材１２の多数の網穴１２Ｄが正方形の角穴形状に形成されており、隣り合う角穴間の連結部１２Ｂの幅寸法が、強度を維持できる上で可能な限り小さな寸法ｍに設定されているので、連結部１２Ｂに異物５１が載ってもその異物５１が降下０より小さなものであれば、網穴１２Ｄに落ちやすい。その結果、例えば、レジ係員が貨幣を取る際、異物５１をつかむことなく例えば自動釣銭機に貨幣を投入でき、自動釣銭機が不具合を起こす機会を減らすことができる。
【００３４】
次に、図５，６に基づいて、本発明のカルトンの第２実施形態を説明する。
本第２実施形態のカルトン２０は、箱状の本体部材２１と、この本体部材２１に着脱可能に取り付けられると共に網状体で構成された貨幣載置部材２２とで構成されている。
【００３５】
本体部材２１の箱状の形状は、図５，６に示すように、直方体形状とされている。
これに対して、貨幣載置部材２２の形状は、底面部２２Ｃと当該底面部２２Ｃからそれぞれ上方側に向かって広がる傾斜面状の２枚の側面部２２Ａ，２２Ａ、２枚の側面部２２Ｂ，２２Ｂとで形成されている。
【００３６】
また、貨幣載置部材２２の２枚の側面部２２Ａ，２２Ａおよび２２Ｂ，２２Ｂの上端部には、本体部材２１の上方開口部に係合する係合部２２Ｅが設けられている。
係合部２２Ｅは、図６に示すように、断面略逆Ｌ字形状に形成されると共に、側面部２２Ａ，２２Ａおよび２２Ｂ，２２Ｂの上端部に連続して設けられており、その係合部２２Ｅを本体部材２１の上方開口部に覆い被せるようにして取り付けられている。
【００３７】
さらに、貨幣載置部材２２の底面部２２Ｃに網穴２２Ｄが形成されている。この網穴２２Ｄは、図３に示す前記第１実施形態の貨幣載置部材１２の網穴１２Ｄと略同様の正方形の角穴形状となっている。
そして、底面部２２Ｃの配置位置が本体部材２１の深さ方向の途中位置となるように、貨幣載置部材２２の係合部２２Ｅと側面部２２Ａ，２２Ａおよび２２Ｂ，２２Ｂとの深さ寸法が設定されている。
【００３８】
以上のような第２実施形態では、前記第１実施形態と略同様の作用の他、前記（１）〜（３）、（５）と略同様の効果を得ることができる他、次のような効果を得ることができる。
（６）貨幣載置部材２２が、底面部２２Ｃとそれぞれ２枚の側面部２２Ａ，２２Ａおよび２２Ｂ，２２Ｂとで形成されると共に係合部２２Ｅを有して形成され、係合部２２Ｅを本体部材２１の上方開口部に係合させたとき、貨幣載置部材２２を水平に保持することができる。
【００３９】
（７）貨幣載置部材２２を本体部材２１に取り付けるには、貨幣載置部材２２の係合部２２Ｅを本体部材２１の上方開口部に覆い被せるようにして取り付けるだけでよいので、着脱がきわめて容易である。
【００４０】
以上、前記各実施形態を参照して本発明を説明したが、本発明は前記各実施形態に限定されるものではない。本発明の構成や詳細については、当業者が理解し得るさまざまな変更を加えることができる。また、本発明には、前記実施形態の構成の一部又は全部を相互に適宜組み合わせたものも含まれる。
【００４１】
前記各実施形態では、貨幣載置部材１２，２２の網穴１２Ｄ，２２Ｄを、図４に詳細を示すように正方形形状の角穴に形成したが、これに限らない。図７に示すように、パンチングメタルの穴のように、丸穴で形成された網穴１２Ｆ，２２Ｆとしてもよい。この場合、網穴１２Ｆ，２２Ｆの内径寸法φは、１円硬貨の外径寸法２０ｍｍより小さな寸法、例えば１５ｍｍに設定されている。
そして、このような変形形態によれば、前記（１）〜（７）と略同様の効果を得ることができる。
【００４２】
前記各実施形態では、貨幣載置部材１２，２２を、例えば合成樹脂製とすると共に、網穴１２Ｄ，２２Ｄをプレス成形等で形成した後、バリ取り等の仕上げしたものを使用していたが、これに限らない。例えば、上記のように形成された後に、貨幣載置部材１２，２２の少なくとも表面にゴムなど軟性の樹脂をコーティングしてもよい。
このような変形形態によれば、前記（１）〜（７）と略同様の効果の他、
（８）硬貨５０が取りやすくなる、という効果がある。
【００４３】
（付記１）
個人顧客相手の店舗や金融機関等で提供された物に対する顧客の代金の支払い時に使用されるカルトンにおいて、
前記支払い場所に載置されると共に箱状体で構成された本体部材と、
この本体部材に設けられると共に前記代金としての貨幣を載置する貨幣載置部材と、を備えて構成し、
この貨幣載置部材を、前記貨幣と共に紛れ込み前記硬貨の大きさより小さな異物のみが通過する大きさの網目を有する網状体で形成したことを特徴とするカルトン。
【００４４】
（付記２）
付記１に記載したカルトンにおいて、
前記本体部材の前記箱状の形状を、底面部と当該底面からそれぞれ上方側に向かって広がる傾斜面状の４枚の側面部とで形成された形状とし、
前記貨幣載置部材を前記本体部材の深さ方向の途中位置に配置したことを特徴とするカルトン。
【００４５】
（付記３）
付記１または付記２に記載したカルトンにおいて、
前記貨幣載置部材の前記網状体の網穴の大きさを、
前記貨幣のうち複数種の硬貨で最小外径の硬貨の外径寸法より小さな寸法に形成したことを特徴とするカルトン。
【００４６】
（付記４）
付記１ないし付記３のいずれか１に記載したカルトンにおいて、
前記網状体の網穴を正方形形状の角穴で構成し、この角穴の対角線間の寸法を前記最小外径の硬貨の外径寸法より小さな寸法に形成したことを特徴とするカルトン。
【００４７】
（付記５）
付記１ないし付記４のいずれか１に記載したカルトンにおいて、
前記貨幣載置部材１２を前記本体部材に対して着脱可能としたことを特徴とするカルトン。
【００４８】
（付記６）
付記４に記載したカルトンにおいて、
前記本体部材の内周部に、前記貨幣載置部材を水平に保持する複数個の水平保持部を設けたことを特徴とするカルトン。
【００４９】
（付記７）
付記１に記載したカルトンにおいて、
前記本体部材の箱状の形状を直方体形状とし、
前記貨幣載置部材の形状を、底面部と当該底面からそれぞれ上方側に向かって広がる傾斜面状の４枚の側面部とで形成すると共に前記本体部材の上方開口部に係合する係合部を設けた形状とし、前記底面に前記網状体の網穴を形成した形状としたことを特徴とするカルトン。
【００５０】
（付記８）
付記７に記載したカルトンにおいて、
前記底面に形成された前記網状体の網穴の大きさを、
前記貨幣のうち複数種の硬貨で最小外径の硬貨の外径寸法より小さな寸法に形成したことを特徴とするカルトン。
【００５１】
（付記９）
付記１ないし付記８のいずれか一つに記載したカルトンにおいて、
前記貨幣載置部材の少なくとも上面に軟性樹脂をコーティングしたことを特徴とするカルトン。
【産業上の利用可能性】
【００５２】
本発明は、カルトンに関し、特にスーパーストア（以下スーパーという）やコンビニエンスストア（以下、コンビニという）等で精算時の貨幣の受渡しを行う際、あるいは銀行等の金融機関での貨幣の受渡しを行う際に利用することができる。
【符号の説明】
【００５３】
１０  カルトン
１１  本体部材
１１Ａ  傾斜状の側面部
１１Ｂ  傾斜状の側面部
１１Ｄ  水平保持部
１２  貨幣載置部材
１２Ｄ  正方形形状の網目
２０  カルトン
２１  本体部材
２２  貨幣載置部材
２２Ａ  傾斜状の側面部
２２Ｂ  傾斜状の側面部
２２Ｄ  正方形形状の網目
【図１】
2013175119.tif 000003
【図２】
2013175119.tif 000004
【図３】
2013175119.tif 000005
【図４】
2013175119.tif 000006
【図５】
2013175119.tif 000007
【図６】
2013175119.tif 000008
【図７】
2013175119.tif 000009